(57)【要約】【課題】心棒の突き抜きを防ぐ機能を備える空気ポンプの取っ手を提供する。【解決手段】本考案は心棒の突き抜きを防ぐ空気ポンプの取っ手であって、主に取っ手本体１０と、心棒２０と、強化部材３０を含む。前記取っ手本体１０には連結部１１が設けられ、前記連結部１１の一端面には前記取っ手本体１０に向かって連結溝１１２が設けられ、前記連結溝１１２は前記心棒２０の連結に用いられ、前記強化部材３０は前記取っ手本体１０と前記心棒２０の間に取り付けられて前記取っ手本体１０と前記心棒２０の直接接触を避けることができる。【選択図】図２
0003147155.tif 000002
【実用新案登録請求の範囲】
【請求項１】
心棒の突き抜きを防ぐ空気ポンプの取っ手であって、
手の握りに用いられる取っ手本体と、前記取っ手本体に連接される心棒と、前記取っ手本体と前記心棒の間に設置されて前記取っ手本体と前記心棒の直接接触を阻隔する強化部材とを含み、
前記心棒と前記強化部材の材料強度は前記取っ手本体の材料強度より大であることを特徴とする、心棒の突き抜きを防ぐ空気ポンプの取っ手。
【請求項２】
心棒の突き抜きを防ぐ空気ポンプの取っ手であって、
手の握りに用いられる取っ手本体と、前記取っ手本体に連接され、第一端と第二端を備え、前記第一端には軸方向に実体の嵌め付け部が突き出して設けられ、前記第二端の端面は前記第一端へ向かって連接溝が設けられてある接続部材と、一端には結合端が設けられ、前記結合端は前記接続部材の前記連接溝に連接される心棒と、前記接続部材の前記嵌め付け部に取り付けられる強化部材とを含み、
前記心棒と前記強化部材の材料強度は取っ手本体の材料強度より大であることを特徴とする、心棒の突き抜きを防ぐ空気ポンプの取っ手。
【請求項３】
前記取っ手部材はプラスチックから作られ、前記強化部材は金属材料から作られ、前記強化部材は形状が円形の輪郭であり、一面に収納溝が設けられ、前記収納溝には周縁が取り捲り、前記強化部材の収納溝の異なる一面には頂上面が設けられ、前記周縁と前記頂上面は前記取っ手本体で接触し、しかも前記周縁と前記頂上面の間の連接個所には円角を設けることを特徴とする請求項１又は２に記載の心棒の突き抜きを防ぐ空気ポンプの取っ手。
【考案の詳細な説明】
【技術分野】
【０００１】
本考案は空気ポンプの取っ手に係り、特に心棒の突き抜きを防ぐ機能を備える空気ポンプの取っ手に関する。
【背景技術】
【０００２】
特許文献１の台湾特許第446070号公報「内外二管式直立型空気ポンプ」を参照されたい。同公報の図２には心棒41と取っ手42間の連結方式を開示し、その連結方式は心棒41の一端にねじが設けられ、取っ手42両端の中間には孔が設けられ、孔内にもねじが設けられて心棒41の一端にねじ付けられる。この状況に於いて、使用者がポンプするときに同時に二つの下向きの作用力を取っ手42の両端に施す必要があり、この二つの下向きの作用力は心棒41個所を支点とし、取っ手42の中間に対して曲げモーメント(moment)が発生し、この曲げモーメントは心棒41の頂上端と取っ手42がねじ付けた個所に集中する。このほか、ポンプ時は取っ手42を最も高い個所に引き上げ、それから快速に取っ手42を最底端へ圧迫し、このとき心棒41は取っ手42の下向きの作用力によって上向きの反作用力を生じる。かつP＝F/Aにより、取っ手42の下向きの作用力は心棒41の上向きの反作用力とは大きさが同じであるが、心棒41の面積が小さいので取っ手42にやや大きな上向きの圧力が発生する。曲げモーメントに上向きの作用力が加えられて長時間作用すると、取っ手42は本体の材料疲労によって損害して心棒41に突き通され、このような現象は取っ手42が損害する問題になるだけでなく、甚だしくは、心棒41が取っ手42を突き抜いて人身の傷害になる恐れがある。
【特許文献１】台湾特許第446070号公報
【考案の開示】
【考案が解決しようとする課題】
【０００３】
本考案の心棒の突き抜きを防ぐ空気ポンプの取っ手が解決しようとする技術問題は、人々が空気ポンプを使用する場合は取っ手を繰り返し上下に作動する必要があり、ポンプの動作が最も低い個所に押さえられた場合、心棒は取っ手の下向きの圧迫力の作用によって上向きの反作用力が生じ、更に取っ手両側に作用する下向きの力によって発生する曲げモーメントを加えると、取っ手が長時間使われて材料の疲労によって心棒に突き抜かれる恐れがある点である。
【課題を解決するための手段】
【０００４】
上記課題を解決するために、本考案の主な構成は取っ手本体、心棒と強化部材を含む。前記取っ手本体には連結部が設けられ、前記連結部内には連結溝が設けられ、前記連結溝は心棒を連結することができ、前記強化部材と前記心棒の材料強度は前記取っ手本体の材料強度より大であることを特徴とする。
【０００５】
前記強化部材は前記連接溝の閉鎖端に設置されて前記取っ手本体と前記心棒を阻隔する。前記強化部材には収納溝が設けられ、前記収納溝外には周縁が取り捲り、前記強化部材の前記収納溝の異なる一面には頂上面が設けられてある。前記周縁は前記取っ手本体の両側に作用する下向きの作用力に発生する曲げモーメントを抵抗し、曲げモーメントの作用によって前記取っ手本体と前記心棒を連接するねじの崩壊を避けることができ、かつ前記強化部材の頂上面と周縁の辺角は円角を呈し、それは辺角が曲げモーメントの作用によって崩壊し、それによって前記強化部材の辺角の砕け屑が連接溝内に残留して取っ手本体とねじが磨耗されることが避けられる。前記強化部材にはねじが設けられていることなく、それは前記心棒のねじの一部が前記強化部材のねじにねじ付けられ、前記心棒のねじのほかの部分が前記取って本体のねじにねじ付けられることを避ける。前記強化部材と前記心棒の材料強度は前記取っ手本体の材料強度より大であるので、前記心棒と前記取っ手本体のねじ付け個所のねじは下向けの押し付けと上向けの引き上げ作用の繰り返し作用を受けて先に崩壊することになる。
【０００６】
前記強化部材は前記取っ手本体と前記心棒の直接接触を阻隔し、それが長時間使用されたために前記心棒が前記取っ手本体を突き抜くことが避けられ、更に前記取っ手本体の反曲げモーメント力を増強し、ねじ付け個所のねじの崩壊を低減することができるので、実に当業界に広く使用される創造とも言える。
【考案の効果】
【０００７】
本考案によれば、本考案は次のような効果がある。
１．下記実施例１に於いて、本体内に強化部材を設置し、その強化部材は心棒が繰り返しの衝撃によって取っ手本体を突き抜くことを防止する。強化部材を連結溝の閉鎖端に設置することにより、取っ手本体の両端が力を受けて曲げモーメントが発生し、その作用によって連結溝のねじが崩壊することが避けられ、取っ手本体の反曲げモーメント力が増強される。強化部材の周縁と頂上面の辺角は円角に設けられ、それによって強化部材の辺角は曲げモーメントの作用を受けても崩壊して砕け屑が発生することなく、砕け屑が取っ手本体とねじを磨耗することにならない。
【０００８】
２．下記実施例２に於いて、連接部材の設計により、取っ手本体と心棒の間に接続部材が増し、心棒が取っ手本体を突き抜く可能性が低減される。接続部材と取っ手本体のねじ付け個所が取っ手本体両端の力を受ける個所に近いことにより、同じ作用力に於いてもねじ付け個所に発生する曲げモーメントは小さくなり、更に強化部材の周縁と円角の設置に合わして、取っ手本体にはよりよい突き抜き防止、及び反曲げモーメントとねじ付け個所の崩壊を低減する能力を備えることができる。
【考案を実施するための最良の形態】
【０００９】
図１と図２に示すように、本考案の心棒の突き抜きを防ぐ空気ポンプの取っ手は取っ手本体10、心棒20と強化部材30を含む。取っ手本体10は手の握り持ちに供され、心棒20は取っ手本体10に連接され、強化部材30は取っ手本体10と心棒20の間に設置されて取っ手本体10と心棒20の直接接触を阻隔する。心棒20と強化部材30の材料強度は取っ手本体10の材料強度より大であるので、強化部材30の支えによって取っ手本体10の構造強度を増やし、それによって取っ手本体10が曲げモーメントと衝撃力の組み合わせ作用を受けても材料強度は低減しなく、心棒20が取っ手本体10を突き抜くことにならない。
【００１０】
前述効能を達成するため、本考案の最適実施例では取っ手本体10はプラスチックから製造し、強化部材30は金属材料から作られ、かつ強化部材30は埋め込み射出方式をもって取っ手本体10の中に設置される。
【００１１】
図１から図３本考案の実施例１の説明図を参照ください。取っ手本体10は円棒状に現れ、取っ手本体10の両端間の表面には径方向に連接部11が突き出して設けられ、連接部11の端面には円形の開口111が設けられ、連接部11には開口111から取っ手本体10へ向かって円形の連接溝112が設けられ、連接溝112の内壁にはねじ113が設けられてある。
【００１２】
心棒20は取っ手本体10に連接され、心棒20は金属またはプラスチック材から製造され、本実施例に於いて心棒20は金属の材質である。心棒20の一端には結合端21が設けられ、結合端21にはねじ22が設けられ、ねじ22は連結溝112のねじ113と互いにねじ付け、心棒20の結合端21はねじ付けによって取っ手本体10の連結溝112内に取り付けられる。心棒20の結合端21の異なる別の一端は空気ポンプのシリンダー(cylinder)（図面せず）に挿入され、かつピストン(piston)に連接し、心棒20はピストンをシリンダー内で上下にスライド(slide)させる。
【００１３】
強化部材30は取っ手本体10と心棒20の間に設置されて取っ手本体10と心棒20の直接接触を阻隔する。強化部材30の外観は円形の輪郭である。強化部材30の一面には円形の収容溝31が設けられ、収容溝31外には周縁32が取り捲り、強化部材30の収容溝31の異なる一面には頂上面33が備えられ、頂上面33と周縁32の間の辺角は円角34に設けられる。強化部材30は連結溝112の閉鎖端に埋め込まれる。
【００１４】
ポンプ時、両手はそれぞれ取っ手本体10の両端に置き、同時に下向きの作用力を提供するが、このとき、取っ手本体10両端の作用力は取っ手本体10の中心に曲げの力を提供し、強化部材30の周縁32によって取っ手本体10の中心の反曲げの力を強化する。充分な空気に到達する前、取っ手本体10と心棒20は上下の繰り返し作動を行わなければならない。取っ手本体10を最高位置から最低位置まで押し下げると、心棒20は上向きの反作用力を強化部材30に提供し、強化部材30の頂上面33によって心棒20が提供する反作用力を吸収し、心棒20が取っ手本体10を突き抜くことが避けられる。
【００１５】
図４から図６本考案の実施例２を参照ください。本実施例と実施例１が違うのは取っ手本体10の連結溝112は接続部材40に連結されることである。
【００１６】
接続部材40はプラスチックまたは金属材料から製造されてもよいが、本実施例では接続部材40はプラスチックの円柱である。接続部材40は取っ手本体10の連結部11内に取り付けられ、接続部材40の外側にはねじ41が設けられ、ねじ41と取っ手本体10の連結溝112のねじ113は互いにねじ付けられ、接続部材40は連結部11内に取り付けられる。接続部材40は第一端と第二端を備え、接続部材40の第一端には軸方向に実体の嵌め付け部42が突き出し、強化部材30は収納溝21によって嵌め付け部42に組み付けられる。接続部材40の第二端の端面は第一端に向いて連接溝43が設けられ、連接溝43には複数個の突起環44が設けられ、突起環44は心棒20の結合端23の複数個の突起部24と互いに嵌め付けられる。
【００１７】
接続部材40はねじ41によってねじ113にねじ付けられて連結部11の連結溝112内に取り付けられ、強化部材30は連結溝112の閉鎖端に設置される。心棒20が接続端40に組み付けられると、心棒20の結合端23は接続端40の嵌め付け部42の実体部分と接触し、それによって長時間繰り返し作動されても心棒20は取っ手本体10を突き抜きにくくなる。また、接続部材40のねじ41は取っ手本体10の両端から近いので、同じ作用力で取っ手本体10の両端に施しても、取っ手本体10のねじ付け個所が受ける曲げモーメントは小さく、ねじ113、41は崩壊しにくくなる。それ故に、強化部材30と接続部材40の設置により、取っ手本体10はよりよい反モーメントと反心棒突き抜きの能力を備える。
【図面の簡単な説明】
【００１８】
【図１】本考案の心棒の突き抜きを防ぐ空気ポンプの取っ手の実施例１の立体外観図
【図２】本考案の心棒の突き抜きを防ぐ空気ポンプの取っ手の実施例１の立体分解図
【図３】本考案の心棒の突き抜きを防ぐ空気ポンプの取っ手の実施例１の断面図
【図４】本考案の心棒の突き抜きを防ぐ空気ポンプの取っ手の実施例２の立体外観図
【図５】本考案の心棒の突き抜きを防ぐ空気ポンプの取っ手の実施例２の立体分解図
【図６】本考案の心棒の突き抜きを防ぐ空気ポンプの取っ手の実施例２の断面図
【符号の説明】
【００１９】
（本考案）
10      取っ手本体
11      連結部
111     開口
112     連結溝
113     ねじ
20      心棒
21      結合端
22      ねじ
23      結合端
24      突起部
30      強化部材
31      収納溝
32      周縁
33      頂上面
34      円角
40      接続部材
41      ねじ
42      嵌め付け部
43      連接溝
44      突起環
（従来技術）
41      心棒
42      取っ手
【図１】
0003147155.tif 000003
【図２】
0003147155.tif 000004
【図３】
0003147155.tif 000005
【図４】
0003147155.tif 000006
【図５】
0003147155.tif 000007
【図６】
0003147155.tif 000008